(57)【特許請求の範囲】
【請求項１】
側部材と中間部材との２種類の部材の組合せからなり、上記側部材と中間部材とには端部同士を突き合せることにより互いを連結する連結手段と、端部同士を係合させる係合部とを設け、単独又は複数連結した中間部材の両側部に上記側部材をそれぞれ連結してなる以下の要件を備えることを特徴とする配線器具用プレート。
（イ）上記連結手段は、上記中間部材に設けた第１の連結部と第２の連結部及び上記側部材に設けた第３の連結部と第４の連結部とで構成されていること
（ロ）上記第1の連結部は中間部材の側端部から側方に膨出した係合板と、この係合板の中央先端近傍に設けた係止凸部とからなり、第４の連結部は側部材の側端部から側方に膨出した係合板と、この係合板の中央先端近傍に設けた係止凸部とからなること
（ハ）上記第２の連結部は中間部材の背面に形成された係合枠と、この係合枠の内側に設けた係止凹部とからなり、上記第３の連結部は側部材の背面に形成された係合枠と、この係合枠の内側に設けた係止凹部とからなること
（二）上記中間部材の一方の端部には上記第１の連結部と第２の連結部とが形成され、上記第１の連結部の反対側端部には第２の連結部が形成され、上記第２の連結部の反対側端部には第１の連結部がそれぞれ形成されていること
（ホ）上記中間部材の端部を突き合せる上記側部材の端部には中間部材の第１の連結部に対応して第３の連結部が形成され、中間部材の第２の連結部に対応して第４の連結部が形成されていること
（へ）上記第１の連結部と第４の連結部とは同一形状であり、第２の連結部と第３の連結部とは同一形状であること
（ト）上記係合部は、上記中間部材に設けた第１の係合部と第２の係合部及び上記側部材に設けた第３の係合部と第４の係合部とで構成されていること
（チ）上記第１の係合部は、中間部材の第１の連結部から側端部の一方の終端まで設けた係合凸縁で構成し、第２の係合部は第２の連結部から側端部の他方の終端まで設けた係合受部と終端近傍に設けた係合板とからなること
（リ）上記中間部材の一方の側端部には第１の係合部と第２の係合部とが形成され、他方の側端部には上記第１の係合部に対応して第２の係合部が、第２の係合部に対応して第１の係合部がそれぞれ形成されていること
（ヌ）上記中間部材の端部を突き合せる上記側部材の端部には中間部材の第１の係合部に対応して第３の係合部が形成され、中間部材の第２の係合部に対して第４の係合部が形成されていること
（ル）上記第１の係合部と第４の係合部とは同一形状であり、第２の係合部と第３の係合部とは同一形状であること
【発明の詳細な説明】
【０００１】
【発明の属する技術分野】
本発明は、壁面に取付枠を介してスイッチやコンセント等の配線器具を取り付ける際に、取付枠の前面を覆うための配線器具用プレートに関する。
【０００２】
【従来の技術】
従来、図８（ａ）に示すように、埋込ボックスをサン木などの支持体３０に木ネジ３１で埋め込みボックス３２を固定した後、石膏ボードやベニヤ板などの壁下地材を張り付け、適宜手段で壁下地材を切り欠いて埋込ボックス３２を露出させ、配線器具３３を取り付けた取付枠３４を取付けネジ３５で埋込ボックスに固定した後、配線器具用プレート３６を配線器具３３の周囲を覆うように取付枠３４に取り付ければ、図８（ｂ）に示すように、壁面に配線器具３３以外の部分を配線器具用プレート３６で覆うことができるようになっている。
【０００３】
【発明が解決しようとする課題】
しかしながら、従来の配線器具用プレートでは、配線器具が複数並設されるような場合は、配線器具の数に対応して配線器具用プレートの形状が異なる為、配線器具の数に対応したプレートを予め準備しておかなければならなかった。このことは、建築工事にたずさわる作業技術者は、複数種類の配線器具用プレートを予め準備して工事にかからなければならず、電設資材を取り扱う販売店や卸業者やメーカーは、複数種類の配線器具用プレートを在庫したり製造したりしなければならず、その在庫管理や製造管理も煩雑になるとともに、コストが割高にならざるをえなかった。
【０００４】
本発明は上記問題点を解消し、配線器具の数に応じて自由に対応することができ、在庫管理等を容易にするとともに、製造コストの低減化を図ることができる配線器具用プレートを提供することをその課題とする。
【０００５】
【課題を解決するための手段】
前記課題を解決するため、本発明に係る配線器具用プレートは、側部材と中間部材との２種類の部材の組合せからなり、上記側部材と中間部材とには端部同士を突き合せることにより互いを連結する連結手段と、端部同士を係合させる係合部とを設け、単独又は複数連結した中間部材の両側部に上記側部材をそれぞれ連結してなる以下の要件を備えることを特徴とする。
（イ）上記連結手段は、上記中間部材に設けた第１の連結部と第２の連結部及び上記側部材に設けた第３の連結部と第４の連結部とで構成されていること
（ロ）上記第1の連結部は中間部材の側端部から側方に膨出した係合板と、この係合板の中央先端近傍に設けた係止凸部とからなり、第４の連結部は側部材の側端部から側方に膨出した係合板と、この係合板の中央先端近傍に設けた係止凸部とからなること
（ハ）上記第２の連結部は中間部材の背面に形成された係合枠と、この係合枠の内側に設けた係止凹部とからなり、上記第３の連結部は側部材の背面に形成された係合枠と、この係合枠の内側に設けた係止凹部とからなること
（二）上記中間部材の一方の端部には上記第１の連結部と第２の連結部とが形成され、上記第１の連結部の反対側端部には第２の連結部が形成され、上記第２の連結部の反対側端部には第１の連結部がそれぞれ形成されていること
（ホ）上記中間部材の端部を突き合せる上記側部材の端部には中間部材の第１の連結部に対応して第３の連結部が形成され、中間部材の第２の連結部に対応して第４の連結部が形成されていること
（へ）上記第１の連結部と第４の連結部とは同一形状であり、第２の連結部と第３の連結部とは同一形状であること
（ト）上記係合部は、上記中間部材に設けた第１の係合部と第２の係合部及び上記側部材に設けた第３の係合部と第４の係合部とで構成されていること
（チ）上記第１の係合部は、中間部材の第１の連結部から側端部の一方の終端まで設けた係合凸縁で構成し、第２の係合部は第２の連結部から側端部の他方の終端まで設けた係合受部と終端近傍に設けた係合板とからなること
（リ）上記中間部材の一方の側端部には第１の係合部と第２の係合部とが形成され、他方の側端部には上記第１の係合部に対応して第２の係合部が、第２の係合部に対応して第１の係合部がそれぞれ形成されていること
（ヌ）上記中間部材の端部を突き合せる上記側部材の端部には中間部材の第１の係合部に対応して第３の係合部が形成され、中間部材の第２の係合部に対して第４の係合部が形成されていること
（ル）上記第１の係合部と第４の係合部とは同一形状であり、第２の係合部と第３の係合部とは同一形状であること
【０００６】
【発明の実施の形態】
図１（ａ）（ｂ）は、本発明に係る、配線器具用プレートの正面図及び背面図を示し、この配線器具用プレートは、少なくとも１つの中間部材１と２つの側部材２、２との２種類の部材を組み合わせることにより構成され、中間部材１の一方の端面に側部材２の端面を、中間部材１の他方の端面に側部材２の端面をそれぞれ突き合せて連結手段７、２２により連結することにより全体として板状の配線器具用プレートが形成できるようになっている。
【０００７】
図２（ａ）（ｂ）は中間部材1の正面図及び背面図を示し、中間部材１は長手方向両端部が背面側に曲折されて側面視略コ字状の樹脂製の板部材で、中央に配線器具の前面を露出させるための開口部３が形成され、背面には配線器具の取付枠に係止させるための係止片４が突出して形成されている。
【０００８】
中間部材１の一方の側端部（図２（ａ）上で左側）には第１の連結部５と第２の連結部６とからなる連結手段７が設けられている、第１の連結部５の反対側端部（図２（ａ）上で右側）には第２の連結部６が形成され、第２の連結部６の反対側端部には第１の連結部５が形成されて中間部材１の他方の側端部にも連結手段７が設けられている。
【０００９】
上記第１の連結部５は、図３（ａ）（ｂ）に示すように、端部から側方に膨出した平面視略台形状の係合板１０と、この係合板１０の中央先端近傍に形成された係止凸部１１とで構成され、上記係合板１０は上面１０ａが中間部材１の背面１ａと面一になるように形成されている（図４（ａ）参照）。そして、第２の連結部６は、中間部材１の背面１ａに上記係合板１０及び後述する側部材２の係合板２５の輪郭と同一形状に形成された係合枠１２と、係合枠１２の内側に形成された係止凹部１３とで構成されている。
【００１０】
さらに、第１の連結部５の形成された部位の中間部材１の端部には、第１の係合部１４が形成されている。この第１の係合部１４は、第１の連結部５の上面から端部の一方の終端まで周設された係合凸縁で構成されている。そして、第２の連結部６の形成された中間部材１の端部には、第２の係合部１５が形成されている。この第２の係合部１５は第２の連結部６から端部の他方の終端まで周設された係合受部１５ａと終端近傍に形成された係合板１５ｂとで構成されている。
【００１１】
そして、側部材２の上記中間部材１の端部に突き合せる端部には第３の連結部２０と第４の連結部２１とからなる連結手段２２が設けられている。
【００１２】
図５（ａ）（ｂ）及び図６（ａ）（ｂ）に示すように、第３の連結部２０は、側部材２の背面２ａに上記係合板１０の輪郭と同一形状に形成された係合枠２３と、係合枠２３の内側に形成された係止凹部２４とで構成されている。
【００１３】
そして、第４の連結部２１は、中間部材１の端部に突き合せる端部から側方に膨出した平面視略台形状の係合板２５と、この係合板２５の中央先端近傍に形成された係止凸部２６とで構成され、上記係合板２５は上面２５ａが側部材２の背面２ａと面一になるように形成されている。
【００１４】
さらに、第３の連結部２０の形成された部位の側部材２の端部に突き合せる端部には、第３の係合部２７が形成されている。この第３の係合部２７は、第３の連結部２０から端部の一方の終端まで周設された係合受部２７ａと終端近傍に形成された係合板２７ｂとで構成されている。そして、第４の連結部２１の形成された部位の側部材２の端部には、第４の係合部２８が形成されている。この第４の係合部２８は連結部２１（係合板２５）の上面から端部の他方の終端まで周設された係合凸縁で構成されている。
【００１５】
なお、上述したように、中間部材１の第１の連結部５と側部材２の第４の連結部２１、中間部材１の第２の連結部６と側部材２の第３の連結部２０とは同一形状に形成されているので、中間部材１同士を連結接続することができる。
【００１６】
上記構成の配線器具用プレートを組み立てる際は、中間部材１の一方の端面に側部材２の端面を突き合せることにより側部材２の係合板２５が中間部材１の背面１ａ側に入り込み係合枠１２にガイドされ、係止凸部２６が係止凹部１３に係止されるとともに、中間部材１の係合板１０が側部材２の背面２ａ側に入り込み係合枠２３にガイドされ、係止凸部１１が係止凹部２４に係止される。このとき、第１の係合部１４が第３の係合部２７に係合し、第２の係合部１６が第４の係合部２８に係合し、中間部材１の一方の端面に側部材２を連結することができる。
【００１７】
同様に、中間部材１の他の端面に側部材２の端面を突き合せることにより側部材２の係合板２５が中間部材１の背面１ａ側に入り込み係合枠１２にガイドされ、係止凸部２６が係止凹部１３に係止されるとともに、中間部材１の係合板１０が側部材２の背面２ａ側に入り込み係合枠２３にガイドされ、係止凸部１１が係止凹部２４に係止される。このとき、第１の係合部１４が第３の係合部２７に係合し、第２の係合部１６が第４の係合部２８に係合し（図４（ｂ）参照）、中間部材１の他の端面に側部材２を連結することができ、図１に示すように、配線器具の前面を露出させる開口部が設けられた配線器具用プレートを形成することができる。
【００１８】
上述のように、中間部材１と側部材２の端面同士を突き合せることにより簡単に中間部材１と側部材２とを連結することができる。そして、連結された中間部材１と側部材２とは第１の連結部５と第３の連結部２０とが結合し、第２の連結部６と第４の連結部２１とが結合するとともに、第１の係合部１４に第３の係合部２７が係合し、第２の係合部１５に第４の係合部２８が係合しあうので、外力が加えられても歪みにくく、一体成形された配線器具用プレートと同じように使用することができる。
【００１９】
なお、中間部材１に形成された第１の連結部５と、側部材２に形成された第４の連結部２１の形状とは同一形状であるとともに、中間部材１に形成された第２の連結部６と、側部材２に形成された第３の連結部２０の形状とは同一形状であるため、中間部材１同士を横方向に連続して連結することができるので、図７に示すように、複数の中間部材１を連接することにより、配線器具の数に対応した配線器具用プレートを自由に形成することができ、中間部材１と側部材２との２種類の部材を用意するだけで配線器具の設置状況に対応することができる。
【００２０】
【発明の効果】
本発明によれば、側部材と中間部材とには互いを連結する連結手段が設けられているので、端面同士を突き合せることにより配線器具の数に応じて配線器具用プレートを自由に構成することができ、作業現場で容易に対応することができ技術者による現場での作業を容易にすることができるとともに、販売業者や製造業者にとっての在庫管理等の管理業務をらくにするとともに、製造コストの低減化を図ることができる配線器具用プレートを提供することができる。
【００２１】
そして、中間部材の両端部に形成された連結部が対称に形成されるとともに、側部材の連結部が中間部材の連結部に連結可能に形成されているので、中間部材を並接して連結し、その両端に側部材をそれぞれ連結させればよく、連結作業が簡単でしかも確実に各部材を連結することができる。
【００２２】
さらに、連結部だけではなく係合部を係合させて各部材を連結させるので、外力が加えられても歪みにくく、一体成形された配線器具用プレートと同じように使用することができる。
【図面の簡単な説明】
【図１】  （ａ）（ｂ）は本発明に係る配線器具用プレートの一例を示す正面図及び背面図
【図２】  （ａ）（ｂ）は中間部材の正面図及び背面図
【図３】  （ａ）（ｂ）は上記中間部材の正面側斜視図及び背面側斜視図
【図４】  （ａ）（ｂ）は図1のＸ−Ｘ´線における中間部材及び側部材の連結前の端面図及び連結後の端面図
【図５】  （ａ）（ｂ）は側部材の正面図及び背面図
【図６】  （ａ）（ｂ）は上記側部材の正面側斜視図及び背面側斜視図
【図７】  配線器具用プレートの他の例を示す正面図及び背面図
【図８】（ａ）（ｂ）（ｃ）は従来の配線器具用プレートの取付け態様の説明図、取付け後の説明図及び他の例の配線器具用プレート
【符号の説明】
１  中間部材
２  側部材
５  第１の連結部
６  第２の連結部
７  連結手段
１４  第１の係合部
１５  第２の係合部
２０  第３の連結部
２１  第４の連結部
２２  連結手段
２７  第３の係合部
２８  第４の係合部
【図１】
0004522599.tif 000002
【図２】
0004522599.tif 000003
【図３】
0004522599.tif 000004
【図４】
0004522599.tif 000005
【図５】
0004522599.tif 000006
【図６】
0004522599.tif 000007
【図７】
0004522599.tif 000008
【図８】
0004522599.tif 000009